(57)【要約】化粧品アプリケーター（１）は、厳密に１０．０μｍを上回るアプリケーターの少なくとも１つの部分Ａのアプリケーターの表面の算術平均高さＳａを呈し、この高さは、次の式に従って計算される：【数１】2019523052.tif 000011Ａは、アプリケーターの対象となっている部分であり、ｘ，ｙおよびｚは、直交デカルト座標系でのアプリケーターの表面の座標を表し、ｚが高さの測定軸に対応する。【選択図】図６Ａ
2019523052.tif 000002
【特許請求の範囲】
【請求項１】
化粧品のアプリケーター（１）であって、前記アプリケーターの少なくとも１つの部分Ａの前記アプリケーターの表面の算術平均高さＳａは、厳密に１０．０μｍを上回り、この高さは、次の式：
【数１】
2019523052.tif 000008
に従って計算されることを特徴とし、
Ａは、前記アプリケーターの対象となっている部分であり、
ｘ，ｙおよびｚは、直交デカルト座標系での前記アプリケーターの表面の座標を表し、ｚが高さの測定軸に対応する、アプリケーター。
【請求項２】
請求項１に記載のアプリケーター（１）であって、部分Ａの前記アプリケーターの表面の算術平均高さＳａは、１５．０μｍを上回り、好ましくは１５．０〜３０．０μｍの間に含まれる、アプリケーター。
【請求項３】
請求項１または２に記載のアプリケーター（１）であって、部分Ａの前記アプリケーターの表面の溝の最大高さＳｖは、２００μｍより少なく、好ましくは８０〜１５０μｍの間に含まれる、アプリケーター。
【請求項４】
請求項１〜３のいずれか１項に記載のアプリケーター（１）であって、次の式：
【数２】
2019523052.tif 000009
に従って計算される前記アプリケーターの部分Ａの前記アプリケーターの表面の展開境界面積比Ｓｄｒは、７０％を上回り、好ましくは１００％を上回る、アプリケーター。
【請求項５】
請求項１〜４のいずれか１項に記載のアプリケーター（１）であって、前記アプリケーターは、まつ毛、眉、唇または皮膚用の化粧品のアプリケーターである、アプリケーター。
【請求項６】
請求項１〜５のいずれか１項に記載のアプリケーター（１）であって、前記アプリケーターは、本体および突起を含み、部分Ａが、１つ以上の突起または突起の部分を含んでいる、アプリケーター。
【請求項７】
請求項１〜６のいずれか１項に記載のアプリケーター（１）であって、前記アプリケーターは、アディティブ・シンセシスによって、好ましくは粉末ベッドでの融合によって、製造される、アプリケーター。
【請求項８】
請求項１〜７のいずれか１項に記載のアプリケーター（１）を含む化粧用品。
【請求項９】
アプリケーターの少なくとも１つの部分Ａのアプリケーター表面の算術平均高さＳａが１０．０μｍを上回るアプリケーターを得るように実行される、粉末ベッドでの融合による化粧品のアプリケーター（１）の製造の方法であって、この高さは、次の式：
【数３】
2019523052.tif 000010
に従って計算され、Ａは、アプリケーターの対象となっている部分であり、ｘ，ｙおよびｚは、直交デカルト座標系でのアプリケーターの表面の座標を表し、ｚが高さの測定軸に対応する、方法。
【請求項１０】
請求項９に記載の方法であって、最大寸法が８０．０μｍより少ない粉末の粒子の選択ステップを少なくとも含む、方法。
【請求項１１】
請求項１０に記載の方法であって、粒子の選択は、ふるいによって行われる、方法。
【請求項１２】
請求項９〜１１のいずれか１項に記載の方法であって、少なくともサンドブラストステップを含む、方法。
【請求項１３】
請求項１２に記載の方法であって、サンドブラストは、自動ドラムサンドブラストブースで実行され、好ましくはサンドブラストがマイクロビーズによって実行される、方法。
【請求項１４】
請求項１３に記載の方法であって、粒子が４．０〜１４０．０μｍに含まれる最大寸法を呈する研磨媒体が、使用される、方法。
【請求項１５】
請求項１４に記載の方法であって、使用される研磨媒体は、少なくとも以下：
−マイクロビーズ、例えばガラスまたはセラミックスのマイクロビーズ；
−重炭酸ナトリウム；または
−圧縮された果物の種、
のうちから選ばれる、方法。
【請求項１６】
請求項９〜１４のいずれか１項に記載の方法であって、超音波によるクリーニングのステップを含む、方法。
【請求項１７】
請求項１６に記載の方法であって、使用される超音波は、２５ｋＨｚ〜４５ｋＨｚに含まれる周波数を呈する、方法。
【請求項１８】
請求項９〜１６のいずれか１項に記載の方法であって、粉末は、脂肪族ポリアミド群からの熱可塑性ポリマーのうちから選ばれる、方法。
【発明の詳細な説明】
【技術分野】
【０００１】
本発明は、化粧品のアプリケーターに関する。
【背景技術】
【０００２】
マスカラの商品、すなわち「マスカラ」は、ケースと、マスカラのリザーバーと、アプリケーターを通常含む。いくつもの種類のアプリケーター、ボトルブラシ型のもの、射出されたもの、アディティブ・シンセシスによって製造されたもの、がある。ボトルブラシ型アプリケーターは、アプリケーターのコアを構成する螺旋状金属ワイヤに捕らえられた繊維によって構成される毛を含むブラシを備える。射出アプリケーターは、単一部品であり、例えばプラスチックの毛または歯を備える。アディティブ・シンセシスによって製造されたアプリケーターも、一般に単一部品であり、例えば熱可塑性ポリマーの粉末から形成されることができる。そのようなアプリケーターは、ユーザーに満足のゆく結果を与える。しかし、ユーザーは、より優れた化粧の効果を常に求める。
【発明の概要】
【発明が解決しようとする課題】
【０００３】
発明の目的は、従って、化粧品のアプリケーターを改良することである。
【課題を解決するための手段】
【０００４】
そのために、発明によって、化粧品のアプリケーターを提供し、そのアプリケーターでは、アプリケーターの少なくとも１つの部分Ａのアプリケーターの表面の算術平均高さＳａは、厳密に１０．０μｍを上回り、この高さは、次の式に従って計算される：
【数１】
2019523052.tif 000003
Ａは、アプリケーターの対象となっている部分であり、
ｘ，ｙおよびｚは、直交デカルト座標系でのアプリケーターの表面の座標を表し、ｚが高さの測定軸に対応する。
【０００５】
この算術平均高さＳａは、ＩＳＯ２５１７８規格に従って計算される。
【０００６】
化粧品がつけられる身体の化粧領域の表面は、粗さがμｍのオーダーの表面状態を一般に有する。発明による算術平均高さＳａを呈するアプリケーターの表面は、従来のアプリケーターに比べてその表面状態を増加させることができるようにし、従って、化粧を施す領域（例えば、ユーザーの皮膚、まつ毛、眉、または唇）との相互作用を増加させることができるようにする。この相互作用の増加は、アプリケーターの表面から化粧を施す表面の方へ製品をより良く移動させることができるようにし、これは、化粧の動作を、特に同じ動きの繰り返しを回避することで、容易にする。
【０００７】
発明によるアプリケーターの算術平均高さＳａの大きさのオーダーは、従って、まつ毛、眉、毛および表皮のそれに対応し、これは、アプリケーターと化粧領域との間の接触の摩擦を改善することを可能にする。
【０００８】
好ましくは、部分Ａのアプリケーターの表面の算術平均高さＳａは、１５．０μｍを上回り、好ましくは１５．０〜３０．０μｍの間に含まれる。
【０００９】
これらの値は、求められる有益な効果と、これらの特徴を得るのに必要なコストとの間のよい妥協を提供する。
【００１０】
有利には、アプリケーターの部分Ａのアプリケーターの表面の溝の最大高さＳｖは、２００μｍより少なく、好ましくは８０〜１５０μｍの間に含まれる。
【００１１】
従って、製品を捕らえ得る非常に大きいくぼみの存在を回避する。製品の一部は、この場合、無駄になる。それは、化粧に用いられないからである。さらに、これらのくぼみの中の製品のこの堆積は、アプリケーターをより効果的でなくし得る、およびアプリケーターの早めの摩耗を引き起こし得る。発明によるアプリケーターは、従って、より長い寿命を有する。
【００１２】
有利には、次の式に従って計算されるアプリケーターの部分Ａのアプリケーターの表面の展開境界面積比（ｒａｐｐｏｒｔ  ｄｅ  ｓｕｒｆａｃｅ  ｉｎｔｅｒｆａｃｉａｌｅ  ｄｅ´ｖｅｌｏｐｐｅ´ｅ）Ｓｄｒ：
【数２】
2019523052.tif 000004
は、７０％を上回り、好ましくは１００％を上回る。
【００１３】
この特徴は、アプリケーターの表面が増大し、従って化粧領域とのより大きな接触面積を作り出し、従ってアプリケーターとこの化粧領域との間の製品のより効果的な移動を生じさせるということを、示す。
【００１４】
好ましくは、アプリケーターは、まつ毛、眉、唇または皮膚用の化粧品のアプリケーターである。
【００１５】
例えば、アプリケーターは、マスカラのアプリケーター、口紅またはグロスのアプリケーター、あるいはまたアイライナーを想定することができる。
【００１６】
有利には、アプリケーターは、本体および突起を含み、部分Ａが、１つ以上の突起または突起の部分を含んでいる。
【００１７】
実際、化粧領域と主に接触するように意図されているのは、これらの部分であり、従って、この出願で説明されるような表面状態の特徴を好ましくは呈するべきである。当然、これらの特徴は、アプリケーターの他の部分（例えば、時には化粧をする役割もするようにされるアプリケーターの本体）にも関係し得る。
【００１８】
有利には、アプリケーターは、アディティブ・シンセシス（ｓｙｎｔｈｅ｀ｓｅ  ａｄｄｉｔｉｖｅ）によって、好ましくは粉末ベッドでの融合によって、製造される。
【００１９】
発明に従って、先の請求項のいずれか１つによるアプリケーターを含む化粧用品も提供する。
【００２０】
さらに、発明に従って、アプリケーターの少なくとも１つの部分Ａのアプリケーター表面の算術平均高さＳａが１０．０μｍを上回るアプリケーターを得るように実行される、粉末ベッドでの融合による化粧品のアプリケーターの製造方法を提供し、この高さは、次の式に従って計算される：
【数３】
2019523052.tif 000005
Ａは、アプリケーターの対象となっている部分であり、
ｘ，ｙおよびｚは、直交デカルト座標系でのアプリケーターの表面の座標を表し、ｚが高さの測定軸に対応する。
【００２１】
これらの特徴の利点は、アプリケーターに関連して先に提示したものと同じである。特に、それらは、アプリケーターの最終的な表面状態のより優れた制御を可能にする。
【００２２】
粉末ベッドでの融合方法は、閉じたチャンバーで、層ごとに、粉末ベッドの表面で粉末の粒子を選択的に溶かすために１つ以上のレーザーを用いて粉末材料から物体を作り出すことからなる。使用される粉末の種類は、そのような方法で使用されるのに適したあらゆる種類の粉末であってよい。
【００２３】
アプリケーターは、粉末ベースの積層造形（ｆａｂｒｉｃａｔｉｏｎｓ  ａｄｄｉｔｉｖｅｓ）の方法によって製造されることができる。粉末ベッドでの融合による製造は、アプリケーターを製造するのに使用されることができる粉末ベースの積層造形の方法の１つである。粉末結合による方法を経由して進めることも可能である。粉末結合の方法は、粉末ベッドの表面で粉末の粒子を選択的に固めるために結合剤を用いて粉末材料から物体を作り出すことからなる。使用される粉末の種類は、そのような方法で使用されるのに適したあらゆる種類であってよい。
【００２４】
アプリケーターの表面の算術平均高さが１５．０〜３０．０μｍに含まれ得る。
【００２５】
好ましくは、方法は、最大寸法が８０μｍより少ない粉末の粒子の選択ステップを少なくとも含む。
【００２６】
従って、粉末について、それ故にアプリケーターの形成の前に（前処理）、実行されるこの選択ステップは、アプリケーターの最終的な表面状態をよりよく制御することを可能にし、特にアプリケーターの粗さを減らすことを可能にする。１２０μｍより少ない、好ましくは７０μｍより少ない、例えば６０．０μｍより少ない、さらに５０．０μｍより少ない、最大寸法を有する粒子のみを選択し得る。
【００２７】
好ましくは、粒子の選択は、ふるいによって行われる。
【００２８】
８０．０μｍを上回る最大寸法を有する粒子を他の粒子から分けるために、いくつもの種類のふるいが想定されることができる。例えば、超音波による、微小振動による、および／または吹付による、ふるいを使用することができる。
【００２９】
有利には、方法は、少なくともサンドブラストステップを含む。
【００３０】
そのようなステップは、アプリケーターの最終的な表面状態のよりよい制御も可能にする。このサンドブラストは、一般に、後処理で、すなわち、アプリケーターが形成された後で、実行される。このサンドブラストは、特に、研磨媒体（マイクロビーズ、重炭酸塩、圧縮された果物の種等）を使用してアプリケーターをクリーニングすることを可能にする。
【００３１】
好ましくは、サンドブラストは、ドラムによる自動サンドブラストブースで実行され、好ましくはサンドブラストがマイクロビーズによって実行される。
【００３２】
改めて、この特徴は、アプリケーターの最終的な表面状態のよりよい制御を可能にする。
【００３３】
さらに好ましくは、粒子が４．０〜１４０．０μｍに含まれる最大寸法を呈する研磨媒体が、使用される。最大寸法が４０．０〜１００．０μｍ、例えば６０．０〜８０．０μｍに含まれる粒子を有する研磨媒体が使用され得る。有利には、使用される研磨媒体は、少なくとも以下のうちから選ばれる：
−マイクロビーズ、例えばガラスまたはセラミックスのマイクロビーズ；
−重炭酸ナトリウム；または
−圧縮された果物の種。
【００３４】
サンドブラストステップは、ノズルを備えている回転ドラムで、好ましくは１０００ブラシまでで、実行され、そのノズルは、４〜４５μｍのシリカビーズを、５ｂａｒ（５・１０５Ｐａ）〜７ｂａｒ（７・１０５Ｐａ）に含まれる、好ましくは６ｂａｒ（６・１０５Ｐａ）の圧力下で、少なくとも２０分間、さらに３０分間、噴射する。
【００３５】
ノズルからドラムの底までの距離は、検討すべきパラメーターである。ここでは、ノズルは、底から３５０ｍｍに位置する。
【００３６】
回転ドラムは、側方ノズルも含み、それは、混合を改善するために底からブラシを取り外すことを可能にする。側方ノズルの圧力は、２ｂａｒ（２・１０５Ｐａ）〜４ｂａｒ（４・１０５Ｐａ）にあり、好ましくは３ｂａｒ（３・１０５Ｐａ）である。
【００３７】
ブラシは、ドラムの中で所定速度で回転する。速度は、３〜６ｒｐｍに含まれ、好ましくは４ｒｐｍである。
【００３８】
有利には、吹付ステップは、ブラシが回転するサンドブラスト機のドラムで、サンドブラストステップの前に実行される。この吹付ステップは、サンドブラストステップの前に、材料（ＰＡ１１）の粒子の多くを取り除くことを可能にする。
【００３９】
選択的に、方法は、超音波によるクリーニングの代替ステップを含む。
【００４０】
このようにして、アプリケーターの粗さをより細かく制御することができる。さらに、製造を望むアプリケーターの種類に応じて粗さを調整することが可能である。
【００４１】
有利には、使用される超音波は、２５ｋＨｚ〜４５ｋＨｚに含まれる周波数を呈する。
【００４２】
周波数のこの範囲は、特に満足のゆくクリーニングの結果を与える。超音波は、一般に、適切な溶液に、例えばイソプロピルアルコールの５０％溶液に、アプリケーターを浸した後で、後処理で適用される。当然、他の解決策を使用することができる。
【００４３】
好ましくは、粉末は、脂肪族ポリアミド群からの熱可塑性ポリマーのうちから選ばれる。
【００４４】
当然、いくつもの種類の粉末を、単独でまたは混合で、使用することができる。
【００４５】
図を参照し、非限定的例として発明の実施形態をこれから提示する。
【図面の簡単な説明】
【００４６】
【図１】発明によるアプリケーターの実施形態の透視図である。
【図２Ａ】発明の実施形態によるアプリケーターの自由端の透視図である。
【図２Ｂ】射出によって作られたシリコンのアプリケーターの自由端の透視図である。
【図３】発明による方法の実施形態のダイアグラムである。
【図４Ａ】射出によって製造されたプラスチック材料のアプリケーターの３次元図である。
【図４Ｂ】図４Ａのアプリケーターの粗さのプロフィールを表すグラフである。
【図４Ｃ】図４Ａのアプリケーターの粗さのプロフィールを表すグラフである。
【図４Ｄ】図４Ａのアプリケーターの粗さのプロフィールを表すグラフである。
【図５Ａ】アディティブ・シンセシスによる製造の際にサンドブラストステップがなかった、発明によるアプリケーターの３次元図である。
【図５Ｂ】図５Ａのアプリケーターの粗さのプロフィールを表すグラフである。
【図５Ｃ】図５Ａのアプリケーターの粗さのプロフィールを表すグラフである。
【図５Ｄ】図５Ａのアプリケーターの粗さのプロフィールを表すグラフである。
【図６Ａ】アディティブ・シンセシスによる製造の際にサンドブラストステップがあった、発明によるアプリケーターの３次元図である。
【図６Ｂ】図６Ａのアプリケーターの粗さのプロフィールを表すグラフである。
【図６Ｃ】図６Ａのアプリケーターの粗さのプロフィールを表すグラフである。
【図６Ｄ】図６Ａのアプリケーターの粗さのプロフィールを表すグラフである。
【発明を実施するための形態】
【００４７】
図１〜６Ｄを参照し、発明によるアプリケーターのおよび方法の実施形態をこれから提示する。ここではマスカラのアプリケーターを説明するが、当然、別の化粧品のアプリケーター（例えば、唇、眉、または皮膚用の化粧品のアプリケーター）であり得る。
【００４８】
発明によるマスカラのアプリケーター１は、ロッド２によって支えられ、ロッド２は、化粧品では、アプリケーターをキャップに接続する。アプリケーターは、その長手方向軸３に沿った細長い卵形の全体形状を有する。ロッドは、円筒形のまっすぐな全体形状を呈し、その長手方向軸は、アプリケーターの長手方向軸３と一致する。ロッドとアプリケーターとは、それらの端の１つで接続される（図１参照）。
【００４９】
アプリケーター１は、他の全体形状（例えば、球形、平行６面体、曲線あるいはまた立方体の全体形状）を呈することができる。
【００５０】
アプリケーターは、本体またはコアを含み、そこから突起４が延びる。当然、発明によるアプリケーターは、コアのないアプリケーターであり得る。これらの突起は、ここでは軸に平行な列および軸に垂直な平面に位置づけられるリングを構成する。
【００５１】
製造方法は、図３のダイアグラムに記載されたステップに従って実行される。当然、他のステップをこのステップに加えることができ、あるステップが別のステップによって置き換えられることができる。
【００５２】
ここではアディティブ・シンセシスによるマスカラのアプリケーターの製造方法を取り上げ、具体的には粉末ベッドでの融合方法を取り上げる。この方法は、閉じたチャンバーで、層ごとに、粉末ベッドの表面で粉末の粒子を選択的に溶かすために１つ以上のレーザーを用いて粉末材料から物体を作り出すことからなる。この実施形態では、使用される粉末の種類は、脂肪族ポリアミド群からの熱可塑性ポリマーに属する。特に、ポリアミド粉末ＰＡ１１またはＰＡ１２を挙げることができる。当然、いくつもの他の種類の粉末を、単独でまたは混合で、使用することができる。
【００５３】
アプリケーターの最終的な表面状態を制御し、それに求められる特徴を与えるために、最大寸法が８０．０μｍを上回る粉末の粒子を取り除くために、前処理が粉末上で行われる。この場合、この前処理は、従来の粉末ベッドでの融合の機械の中での粉末の使用の前に実行される粉末のふるいを含む。ここでは、超音波によるふるいが使用される。当然、最大寸法が８０．０μｍより少ない粉末の粒子を選び出すことができるあらゆるふるいの技術を、使用することができる。これらの粒子の選択は、従って、アプリケーターの表面の最終的な粗さをより良く制御することを可能にする。
【００５４】
ふるいにかけられた粉末は、その後で従来の粉末ベッドでの融合を受ける。その理由で、アディティブ・シンセシスの機械は、アプリケーターを幾何学的に表すデジタルファイルを使用する。ファイルは、コンピュータ支援設計（ＣＡＤ）のソフトウェアでアプリケーターを設計した後で得られる。このファイルは、ＳＴＬフォーマット、または粉末ベッドでの融合によるアディティブ・シンセシスに利用できる標準ファイルのあらゆる他のフォーマットであってよい。ファイルは、その後でアディティブ・シンセシスのために使用される機械の製造業者によって提供されるソフトウェアによって処理される。このソフトウェアは、断面でファイルをＳＬＩまたはＢＦＦフォーマットの約１００のデジタル画像の形にし、画像のそれぞれが、プリントされるモデルの層に、すなわちその長手方向軸に垂直な平面で取られたアプリケーターの断面に、対応する。このデータは、その後で、アプリケーターを製造するためにプリンターに送信される。
【００５５】
好ましい範囲に近い表面状態を有する得るために、アプリケーターの合成に続く後処理ステップが、実行される。
【００５６】
この場合、サンドブラストステップは、研磨材を使用して、作られるアプリケーターをクリーニングするために、ドラムの自動マイクロビーズサンドブラストブースの中で実行される。ここでは、４．０〜１４０．０μｍに含まれる直径のガラスのマイクロビーズが使用される。この技術は、求められる特徴があるアプリケーターを得ることができるようにする。当然、他のサンドブラスト技術が使用され得る。
【００５７】
サンドブラストステップは、ノズルを備えている回転ドラムで、好ましくは１０００ブラシまでで、実行され、そのノズルは、４〜４５μｍのシリカビーズを、５ｂａｒ（５・１０５Ｐａ）〜７ｂａｒ（７・１０５Ｐａ）に含まれる、好ましくは６ｂａｒ（６・１０５Ｐａ）の圧力下で、少なくとも２０分間、好ましくは３０分間、噴射する。
【００５８】
ノズルからドラムの底までの距離は、ここでは３５０ｍｍである。
【００５９】
回転ドラムは、側方ノズルも含み、それは、混合を改善するために底からブラシを取り外すことを可能にする。側方ノズルの圧力は、２ｂａｒ（２・１０５Ｐａ）〜４ｂａｒ（４・１０５Ｐａ）に含まれ、好ましくは３ｂａｒ（３・１０５Ｐａ）である。
【００６０】
ブラシは、ドラムの中で所定速度で回転する。速度は、３〜６ｒｐｍに含まれ、好ましくは４ｒｐｍである。
【００６１】
有利には、吹付ステップは、ブラシが回転するサンドブラスト機のドラムで、サンドブラストステップの前に実行される。この吹付ステップは、サンドブラストステップの前に、材料（ＰＡ１１）の粒子の多くを取り除くことを可能にする。
【００６２】
粗さの制御をより正確にするために、超音波によるクリーニングが、その後で行われる。その理由で、アプリケーターは、イソプロピルアルコールの５０％溶液に浸され、２５ｋＨｚ〜４５ｋＨｚに含まれる超音波が適用される。当然、他のクリーニング技術が使用され得る。
【００６３】
この特有のクリーニングステップは、オプションであり、サンドブラストサイクルに含まれている従来のクリーニングステップだけを考えることができる。それは、追加の作業を必要としないという利点を呈する。さらに、それは、乾燥した環境で実行されるという利点を呈する。
【００６４】
追加的にまたは代替的に、微小振動および／または吹付によるふるいも考えることができる。それは、乾燥した環境で実行されるという利点も呈する。
【００６５】
最後に、水性環境でのクリーニングも考えることができる。
【００６６】
上記の方法によって製造されたアプリケーターの表面状態の特徴は、ＣＬ４プローブが備えられたＡｌｔｉｍｅｔによって販売されるＡｌｔｉＳｕｒｆ５２０の機械を用いて測定される。測定は、コンフォーカル−クロマティック原理に基づき、それは、非接触の測定方法であり、テストは、ＩＳＯ２５１７８規格に従って行われた。測定は、異なる３つのアプリケーターの突起で行われた。指標の役目を果たす第１のアプリケーターは、プラスチック材料からなり、射出によって作られた（図４Ａ〜４Ｄ参照）。第２のアプリケーターは、上記で説明された方法によって製造されたが、後処理ステップを受けていない（図５Ａ〜５Ｄ参照）。最後に、第３のアプリケーターは、サンドブラストステップおよび超音波によるクリーニングステップと、上記で説明された方法によって製造された（図６Ａ〜６Ｄ参照）。テストする各表面は、プローブによってスキャンされ、それは、ｘおよびｙ方向で４μｍのピッチによる点によって点を読み取る。露光は、この場合では２００Ｈｚに定められた測定周波数によって定められる。
【００６７】
アプリケーターの粗さのプロフィールを表す図４Ｂ〜４Ｄ、５Ｂ〜５Ｄおよび６Ｂ〜６Ｄのグラフで、縦座標は、マイクロメートルで表示された高さに対応し、横座標は、対象となっているアプリケーターの部分のアプリケーターの長さに対応する。
【００６８】
アプリケーターの表面の部分Ａの算術平均高さＳａの値、および展開境界面積比Ｓｄｒの値は、次の式で計算された：
【数４】
2019523052.tif 000006
Ａは、アプリケーターの対象となっている部分であり、
ｘ，ｙおよびｚは、直交デカルト座標系でのアプリケーターの表面の座標を表し、ｚが高さの測定軸に対応する。
【００６９】
さらに、溝の最大高さＳｖも測定された。
【００７０】
これらの測定の結果は、下記の表１に示される。
【００７１】
【表１】
2019523052.tif 000007
【００７２】
それぞれの場合に、３つのサンプルが使用された。これらの３つのサンプルは、３つの状況のそれぞれの３つのグラフに対応する（図４Ｂ〜４Ｄ、図５Ｂ〜５Ｄ、図６Ｂ〜６Ｄ参照）。
【００７３】
これらの結果は、上記で説明した方法が、突起の表面が１０．０μｍを厳密に上回る算術平均高さＳａを呈するアプリケーターを得ることを可能にすることを、示す。具体的には、この方法は、１５．０〜３０．０μｍの好ましい範囲にある算術平均高さを得ることを可能にする。
【００７４】
さらに、これらの結果は、上記で説明した方法が、突起の表面が７０％を上回る展開境界面積比Ｓｄｒを呈するアプリケーターを得ることを可能にすることを、示す。具体的には、展開境界面積比は、１５１〜３１８％に含まれる。そのような値は、射出によって製造されたプラスチック材料からなるアプリケーターについては得られないことに、気づく。後処理の使用は、得られる値をより良く制御することを可能にするように思われ、それは従って２００％に近いことにも、気づく。
【００７５】
最後に、これらの結果は、上記で説明した方法が、くぼみの高さとも称される、溝の最大高さＳｖが２００μｍより少ないアプリケーターを得ることを可能にすることを、示す。具体的には、この方法は、８０〜１５０μｍに含まれる溝の最大高さＳｖを得ることを可能にする。実際、請求項に係る方法によって製造されたアプリケーターの場合、テストされた６つのサンプルのうち４つが好ましい値にある一方で、射出によって製造されたアプリケーターについては３つのサンプルのうち１つだけがそうである。
【００７６】
従って、上記で説明したような方法は、アプリケーターの表面の算術平均高さＲａ、溝の最大高さＳｖ、およびアプリケーターの表面の展開境界面積比の値が、それぞれの好ましい値の範囲に含まれる、アプリケーターを得ることを可能にした。
【００７７】
従って、特に有利なアプリケーターが得られる。その表面状態の特徴は、マスカラ容器に浸けられるときに化粧品の十分な量を載せるのに十分な粗さであり、化粧をする領域の方にマスカラを移すのを容易にするようにおよびユーザーに使用の快適さを保証するように粗すぎないことを、可能にするからである。さらに、得られる境界面積比の値は、アプリケーターと化粧領域との間の交換を最適化することを可能にする。最後に、説明した溝の最大高さは、化粧に有用なマスカラのリザーブの形成を可能にするが、マスカラが化粧のために入れない領域の形成を、アプリケーター上で回避する。
【００７８】
後処理の実施は、くぼみの最大高さを減少させることを可能にし、従ってくぼみの中でのマスカラの堆積を回避するので、有利であることに、気づく。
【００７９】
発明によるアプリケーターと、射出アプリケーターとの間のそのような相違は、特に図２Ａおよび２Ｂに、ならびに図４Ａ、５Ａおよび６Ａに、見られる。
【００８０】
当然、発明の範囲を出ることなく、発明に多くの変更を加えることができる。
【００８１】
上記で提示された実施形態は、マスカラのアプリケーターに関する。それが化粧品の他のアプリケーター（例えば、唇用の、皮膚用のまたは眉用の化粧品のアプリケーター）であることを想定することができる。
【００８２】
ここではアディティブ・シンセシス、粉末ベッドでの融合による製造の方法を説明した。アディティブ・シンセシスによる製造の他の方法が使用されることを想定することができる。
【００８３】
ここでは化粧品のアプリケーターの場合を説明したが、発明によるアプリケーターが、他の液体または半液体製品（すなわち、粘度が０．０１Ｐａ・Ｓ〜１００Ｐａ・Ｓ近くの製品）に使用されることを想定することができる。
【図１】
2019523052.tif 000012
【図２Ａ】
2019523052.tif 000013
【図２Ｂ】
2019523052.tif 000014
【図３】
2019523052.tif 000015
【図４Ａ】
2019523052.tif 000016
【図４Ｂ】
2019523052.tif 000017
【図４Ｃ】
2019523052.tif 000018
【図４Ｄ】
2019523052.tif 000019
【図５Ａ】
2019523052.tif 000020
【図５Ｂ】
2019523052.tif 000021
【図５Ｃ】
2019523052.tif 000022
【図５Ｄ】
2019523052.tif 000023
【図６Ａ】
2019523052.tif 000024
【図６Ｂ】
2019523052.tif 000025
【図６Ｃ】
2019523052.tif 000026
【図６Ｄ】
2019523052.tif 000027
【国際調査報告】
2019523052.tif 000028
2019523052.tif 000029
2019523052.tif 000030
2019523052.tif 000031